(57)【要約】【課題】漏斗の保持安定性を損なうことなく、漏斗の足部が挿入される漏斗保持台の貫通穴の内周面の上下方向寸法を小さくする。【解決手段】漏斗保持台２に漏斗の足部が挿入される貫通穴２０が形成されている。貫通穴の内周面には、複数の凸部２２及び複数の凹部２６が、それぞれ貫通穴の中心軸２１に対して等角度間隔で交互に形成されている。【選択図】図２
2010136754.tif 000002
【特許請求の範囲】
【請求項１】
漏斗の足部が挿入される貫通穴が形成された漏斗保持台であって、
前記貫通穴の内周面に、複数の凸部及び複数の凹部が、それぞれ前記貫通穴の中心軸に対して等角度間隔で交互に形成されていることを特徴とする漏斗保持台。
【請求項２】
前記複数の凸部の前記中心軸に対向する面は、前記貫通穴と同軸の円錐面の一部である凹曲面を含む請求項１に記載の漏斗保持台。
【請求項３】
前記凹曲面の周方向の幅は、前記漏斗保持台を使用される向きに配置したときに、前記凹曲面の上端で最小となり、前記上端から下に行くにしたがって増加している請求項２に記載の漏斗保持台。
【請求項４】
前記複数の凸部の前記中心軸に対向する面は、前記漏斗保持台を使用される向きに配置したときに、前記凹曲面よりも上側に、前記中心軸を含む面での断面形状が略円弧である凸曲面を含む請求項２に記載の漏斗保持台。
【請求項５】
前記漏斗保持台を使用される向きに配置したときの前記貫通穴の下側の開口端縁を前記中心軸と平行な方向に沿って見たとき、前記凸部と前記凹部とが接続される頂部の角度は１２０度以上である請求項１〜４のいずれかに記載の漏斗保持台。
【請求項６】
請求項１〜５のいずれかに記載の漏斗保持台と医療用バッグを懸吊する医療用バッグ懸吊台とを備えた医療用バッグ架台。
【発明の詳細な説明】
【技術分野】
【０００１】
本発明は、漏斗保持台に関する。特に、液状物を各種容器に注入する際に使用される漏斗を保持することができる漏斗保持台に関する。また、本発明は漏斗保持台を備えた医療用バッグ架台に関する。
【背景技術】
【０００２】
液状物を口径が小さな容器に注入する際に、図６Ａに示すような漏斗８が使用される。漏斗８は略円錐形状の本体部８１と、本体部８１の頂点から伸びた管状の足部８２とを備えている。足部８２の外周面には、足部８２の長手方向に沿って略一定高さのリブ８３が形成されている。通常、リブ８３は、図６Ｂに示すように、漏斗８の中心軸に対して１２０度間隔で３本形成されている。
【０００３】
例えば、医療の分野では、経腸栄養療法や静脈栄養療法を行う際に患者に投与する液状物（栄養剤、流動食、薬液など）を空の医療用バックに予め注入する必要がある。この注入作業において漏斗８が使用される。具体的には、医療用バッグのポート（注入口）に漏斗８の足部８２を挿入した状態で、漏斗８の本体部８１内に液状物を注入する。液状物は、重力にしたがって足部８２を通過して医療用バッグ内に流入する。
【０００４】
この作業を効率良く行うことを可能にする医療用バッグ架台が特許文献１，２に記載されている。この医療用バッグ架台は、医療用バッグを、そのポートの開口を上側に向けて懸吊する医療用バッグ懸吊台と、懸吊された医療用バッグのポートに漏斗の足部を挿入した状態で漏斗を保持する漏斗保持台とを備える。
【０００５】
図７は、上記の医療用バッグ架台の漏斗保持台が漏斗を保持している状態を示した断面図である。板状の漏斗保持台７に、漏斗８の足部８２が挿入される貫通穴７１が形成されている。貫通穴７１の内周面は、漏斗８の足部８２の外周面のテーパ面のテーパ角度とほぼ同じテーパ角度を有するテーパ面である。貫通穴７１に漏斗８の足部８２を挿入したとき、足部８２の外周面に形成された３本のリブ８３の稜線のみが貫通穴７１の内周面に接触する。しかも、漏斗８を繰り返し使用すると、リブ８３が貫通穴７１の開口端縁と衝突することで、リブ８３の稜線が傷付きデコボコが形成されることがある。従来、リブ８３と貫通穴７１の内周面との接触面積が非常に小さいこと、及び、リブ８３の稜線が傷付くことがあることを考慮して、貫通穴７１の近傍部分７２での漏斗保持台７の厚みは、これ以外の部分での厚みより厚く設定されていた。これにより、貫通穴７１の内周面の上下方向寸法を大きくすることができるので、足部８２と貫通穴７１の内周面との接触面積（または接触距離）が拡大し、漏斗８を所望する姿勢（角度）で安定して保持することが可能になる。
【特許文献１】特開２００８−１７３３０１号公報
【特許文献２】特開２００８−１７３３０２号公報
【発明の開示】
【発明が解決しようとする課題】
【０００６】
上記の医療用バッグ架台は、消毒や滅菌を行うために加熱洗浄が行われる。この加熱洗浄での高温によって、漏斗保持台７が変形することがある。これは、上述したように漏斗保持台７の厚みが貫通穴７１の近傍部分７２とそれ以外の部分とで異なっているために、加熱洗浄時での漏斗保持台７内の温度分布や熱膨張量が不均一になるためである。
【０００７】
しかしながら、漏斗保持台７の貫通穴７１の近傍部分７２の厚みを薄くすると、漏斗８を所望する姿勢で安定して保持することが困難となる。一方、漏斗保持台７の全体厚みを貫通穴７１の近傍部分７２と同じに厚くすることは、医療用バッグ架台の重量の増加による可搬性の低下や、漏斗保持台７の材料の増加によるコスト上昇等を招き好ましくない。
【０００８】
本発明は、上記の従来の問題を解決し、漏斗の保持安定性を損なうことなく、漏斗の足部が挿入される貫通穴の内周面の上下方向寸法を小さくすることを目的とする。
【課題を解決するための手段】
【０００９】
本発明の漏斗保持台は、漏斗の足部が挿入される貫通穴が形成された漏斗保持台であって、前記貫通穴の内周面に、複数の凸部及び複数の凹部が、それぞれ前記貫通穴の中心軸に対して等角度間隔で交互に形成されている。
【００１０】
また、本発明の医療用バッグ架台は、上記の本発明の漏斗保持台と医療用バッグを懸吊する医療用バッグ懸吊台とを備える。
【発明の効果】
【００１１】
本発明によれば、漏斗の足部の外周面に等角度間隔で形成されたリブは貫通穴の内周面に等角度間隔で形成された複数の凹部内に収納され、漏斗の足部の外周面のうちリブが形成されていない部分が等角度間隔で形成された複数の凸部で支持される。したがって、漏斗保持台は、リブと接触することなく、漏斗の足部の外周面を相対的に広い面積で支持することができる。よって、漏斗の保持安定性を損なうことなく、漏斗の足部が挿入される貫通穴の内周面の上下方向寸法を小さくすることが可能となる。
【発明を実施するための最良の形態】
【００１２】
本発明の上記の漏斗保持台において、前記複数の凸部の前記中心軸に対向する面は、前記貫通穴と同軸の円錐面の一部である凹曲面を含むことが好ましい。これにより、漏斗の足部の外周面と複数の凸部との接触面積を更に増大させることができるので、漏斗の保持安定性が更に向上する。
【００１３】
前記凹曲面の周方向の幅は、前記漏斗保持台を使用される向きに配置したときに、前記凹曲面の上端で最小となり、前記上端から下に行くにしたがって増加していることが好ましい。凹曲面の周方向の幅が凹曲面の上端で最小であるので、漏斗の足部を貫通穴内に挿入する際に、作業者が漏斗の回転方向位置に特に注意を払わずとも、リブは自ずと凹部内に移動する。従って、漏斗を漏斗保持台に保持させる作業を極めて効率良く行うことができる。また、凹曲面の周方向の幅が凹曲面の上端から下に行くにしたがって増加しているので、漏斗の足部の外周面と複数の凸部との接触面積が更に増大する。従って、漏斗の保持安定性が更に向上する。
【００１４】
前記複数の凸部の前記中心軸に対向する面は、前記漏斗保持台を使用される向きに配置したときに、前記凹曲面よりも上側に、前記中心軸を含む面での断面形状が略円弧である凸曲面を含むことが好ましい。これにより、漏斗の足部を貫通穴に挿入する作業が容易になる。
【００１５】
前記漏斗保持台を使用される向きに配置したときの前記貫通穴の下側の開口端縁を前記中心軸と平行な方向に沿って見たとき、前記凸部と前記凹部とが接続される頂部の角度は１２０度以上であることが好ましい。これにより、貫通穴の内周面の清掃作業が容易になるととともに、頂部の近傍にゴミや細菌が残留したりする可能性を低減することができる。
【００１６】
以下、本発明を好適な実施形態を用いて詳細に説明する。但し、以下の実施形態は一例に過ぎず、本発明はこれに限定されないことはいうまでもない。
【００１７】
図１は、本発明の一実施形態に係る医療用バッグ架台１を示した斜視図である。以下の説明の便宜のため、図示したように、上下方向（鉛直方向）軸をＺ軸とし、Ｚ軸の矢印の側を上側とする。この医療用バッグ架台１は、４つの漏斗８を保持することが可能な漏斗保持台２と、４つの医療用バッグ９を懸吊することが可能な医療用バッグ懸吊台３とを備えている。漏斗保持台２には、漏斗８の足部８２がそれぞれ挿入される４つの貫通穴２０が形成されている。この医療用バッグ架台１は、上述した特許文献１，２に記載された医療用バッグ架台と、漏斗８の足部８２が挿入される貫通穴２０の形状が変更されている点、及び貫通穴２０の近傍の漏斗保持台２が薄肉化されている点において異なる。
【００１８】
図２は漏斗保持台２に形成された貫通穴２０の拡大斜視図、図３は貫通穴２０の拡大平面図である。貫通穴２０は、Ｚ軸と平行な中心軸２１を有している。本実施形態では、貫通穴２０の内周面に、中心軸２１に向かって突出した３つの凸部２２と、３つの凸部２２に比べて相対的に後退した３つの凹部２６とが形成されている。凸部２２及び凹部２６はそれぞれ中心軸２１に対して１２０度間隔で配置されており、周方向（中心軸２１回りの回転方向）において凸部２２と凹部２６とは交互に配置されている。すなわち、貫通穴２０の内周面は、３回対称（１２０度回転すると元の形状と一致する）の回転対称形状を有している。
【００１９】
凸部２２の中心軸２１に対向する面は、凹曲面２３と、凹曲面２３より上側の凸曲面２４とを含むことが好ましい。
【００２０】
凹曲面２３は、中心軸２１側に凹の曲面であって、漏斗保持台２よりも下側に頂点を有する円錐面の一部で構成することができる。この円錐面の中心軸は貫通穴２０の中心軸２１と一致し、この円錐面のテーパ角度は貫通穴２０に挿入される漏斗８の足部８２の外周面に形成されたテーパ面のテーパ角度とほぼ一致することが好ましい。
【００２１】
凸曲面２４は、中心軸２１側に凸の曲面であって、中心軸２１を含む面でのその断面形状が円弧の曲面で構成することができる（後述する図４参照）。この円弧の曲率半径は、漏斗８の足部８２の外周面の、漏斗８の中心軸を含む断面での曲率半径より小さい。
【００２２】
貫通穴２０の周方向における凹曲面２３の幅は、凹曲面２３の上端（すなわち、凹曲面２３と凸曲面２４の境界近傍）で最小値Ｗminとなり、下に行くにしたがって徐々に増大し、凹曲面２３の下端で最大値Ｗmaxとなる。
【００２３】
凹部２６の中心軸２１に対向する面は、例えば円錐面の一部とすることができる。
【００２４】
図４は、貫通穴２０に漏斗８の足部８２が挿入されて漏斗８が漏斗保持台２に保持された状態の、中心軸２１を含み、１つの凸部２２とこれに対向する凹部２６とを通る面に沿った断面図である。
【００２５】
漏斗８の足部８２の外周面に等角度間隔で形成されたリブ８３が凹部２６内に収納され、且つ、漏斗８の足部８２のリブ８３が形成されていない領域が凸部２２の凹曲面２３と当接して、漏斗８が漏斗保持台２に保持されていることが分かる。このように、本実施形態では、漏斗８の足部８２の外周面のうちリブ８３を除く相対的に広い領域を凸部２２の凹曲面２３で支持する。したがって、リブ８３の稜線のみを支持していた従来の漏斗保持台７に比べて、漏斗８の足部８２を支持する面積が拡大する。また、貫通穴２０の内周面に凹部２６が形成されているので、漏斗８のリブ８３は漏斗保持台２に接触しない。したがって、リブ８３が傷付き、その稜線にデコボコが形成されていても、漏斗８の支持に何らの影響も及ぼさない。これらにより、従来に比べて、貫通穴２０の内周面のＺ軸方向寸法Ｔを小さくしても、漏斗８の保持安定性が損なわれることがない。したがって、貫通穴２０の近傍部分を含めて漏斗保持台２の厚みを薄く且つ均一にすることが可能となり、加熱洗浄による漏斗保持台２の変形を抑えることができる。
【００２６】
しかも、凸部２２の凹曲面２３は円錐面の一部である。この円錐面のテーパ角度を足部８２のリブ８３が形成されていない部分のテーパ面のテーパ角度とほぼ同じに設定することにより、凹曲面２３と足部８２との接触面積が更に増大する。これにより、漏斗８を更に安定して保持することができる。
【００２７】
凸部２２の凹曲面２３の周方向の幅は、凹曲面２３の上端で最小値Ｗminをとる。これにより、以下のような効果が得られる。漏斗８の足部８２を貫通穴２０内に挿入したときに、中心軸２１回りの漏斗８の回転方向位置を特に注意しなくても、リブ８３が凸部２２の凹曲面２３上に位置する可能性が低くなる。また、仮にリブ８３が凸部２２の凹曲面２３上に位置したとしても、漏斗８の足部８２を貫通穴２０内に挿入する際の振動などによって、漏斗８が中心軸２１回りに僅かに回転して、リブ８３は凸部２２の凹曲面２３から外れ凹部２６内に移動する。このように、凸部２２の凹曲面２３の周方向の幅を、凹曲面２３の上端で狭くすることで、漏斗８の足部８２を貫通穴２０内に挿入する際に、中心軸２１回りの漏斗８の回転方向位置に特に注意を払うことなく、リブ８３を凹部２６内に容易に収納させることができる。
【００２８】
その一方で、凸部２２の凹曲面２３の周方向の幅を、凹曲面２３の上端から下に行くにしたがって増加させることにより、凹曲面２３と足部８２との接触面積が増大するので、漏斗８を更に安定して保持することができる。
【００２９】
凸部２２が凹曲面２３よりも上側に凸曲面２４を有することで、漏斗保持台２の上面における貫通穴２０の開口面積が拡大する。更に、凸曲面２４は、滑らかな曲面であるので、漏斗８の足部８２を貫通穴２０内に挿入する際に、漏斗８の足部８２の先端（下端）を貫通穴２０内へ案内する。これらにより、漏斗８の足部８２の挿入作業が容易になる。
【００３０】
本実施形態の貫通穴２０の内周面は、単純な円錐面であった従来の貫通穴７１の内周面に比べて複雑な形状を有している。したがって、スポンジやブラシなどによる清掃作業がしやすいように、貫通穴２０の内周面は鋭利なエッジや先端を有していないことが好ましい。そのためには、内周面に設けられたエッジや先端に丸みを付与することに加えて、凸部２２や凹部２６の曲率や配置を適切に設定してエッジや先端の先鋭度を低下させることが好ましい。例えば、図３の部分５の拡大平面図である図５に示すように、貫通穴２０の下側の開口端縁をＺ軸と平行な方向に沿って見たとき、凸部２２と凹部２６とが接続される頂部２８の角度θは１２０度以上であることが好ましい。ここで、頂部２８の角度θは、頂部２８における凸部２２の開口端縁に沿った接線２２Ｌと、頂部２８における凹部２６の開口端縁に沿った接線２６Ｌとがなす角度（θ≧９０度）によって定義される。頂部２８の角度θをこのように鈍角にすることで、貫通穴２０の内周面を清掃する際に、スポンジやブラシなどが頂部２８に引っ掛かったり、頂部２８の近傍にゴミや細菌が残留したりする可能性を低減することができる。
【００３１】
本発明の漏斗保持台２の製造方法は、特に制限はないが、例えば樹脂材料を射出成形で一体に製造することができる。
【００３２】
図１に示された医療用バッグ架台１を簡単に説明する。漏斗保持台２は、リンク機構４によりＺ軸を含む面内で矢印２ａの向きに回動させることができる。更に、漏斗保持台２は、医療用バッグ懸吊台３の上方に位置するときは、Ｚ軸と平行な矢印２ｂ方向に昇降させることができる。
【００３３】
医療用バッグ架台１の使用方法は以下の通りである。最初に、漏斗保持台２を医療用バッグ懸吊台３の上方から退避させた状態で、漏斗保持台２に形成された４つの貫通穴２０のそれぞれに漏斗８の足部８２を挿入することで、漏斗保持台２に漏斗８を保持させる。また、医療用バッグ懸吊台３に形成された４つの切り欠き３１のそれぞれの周縁に医療用バッグ９のポート９１に形成された鍔９２を係止することで、医療用バッグ９を懸吊する。次いで、漏斗８を保持する漏斗保持台２を、矢印２ａに沿って医療用バッグ懸吊台３の上方に移動させ、更に、矢印２ｂに沿って下降させる。かくして、図１に示されたように、漏斗８の足部８２が医療用バッグ９のポート９１内に挿入される。この状態で、漏斗８の本体部８１に所定の液状物を注入すると、液状物は、重力にしたがって医療用バッグ９内に流入する。液状物の注入が完了すると、漏斗保持台２を上記とは逆に移動させ、次いで、医療用バッグ懸吊台３から医療用バッグ９を取り外す。作業者は、漏斗８を漏斗保持台２に保持させた後は、漏斗８を漏斗保持台２から取り除くまでの間、漏斗８に手を触れることなく液状物の注入作業を行うことができる。
【００３４】
上記の実施形態は、本発明の一例に過ぎず、本発明はこれに限定されず、適宜変更することができ、そのような変更も本発明に含まれる。
【００３５】
例えば、貫通穴２０の内周面に形成される凸部２２及び凹部２６の数は、上記の実施形態で示された３である必要はなく、３より少なくても多くてもよい。一般には、漏斗保持台で保持しようとする漏斗の足部の外周面に形成されたリブの数と同数か、その倍数に設定することが好ましい。
【００３６】
本発明では、漏斗保持台に形成された貫通穴２０の内周面に複数の凸部２２及び複数の凹部２６が形成されていれば良く、凸部２２及び凹部２６の中心軸２１に対向する面の形状は上記の実施形態に限定されない。例えば、凸部２２の凹曲面２３を、円錐面の一部ではなく、円筒面の一部や多角柱面の一部で構成しても良い。凹曲面２３の周方向の幅は、Ｚ軸方向において一定であってもよい。凸部２２の凸曲面２４の、中心軸２１を含む面での断面形状は、厳密な円弧である必要はなく、円弧に近似した曲線であっても良い。また、凸曲面２４を円錐面の一部で構成しても良く、あるいは、凸曲面２４を省略しても良い。凸部２２が凹曲面２３及び凸曲面２４以外の面を含んでいても良い。凹部２６の中心軸２１に対向する面は、上記の実施形態のように円錐面の一部である必要はなく、例えば、円筒面の一部、多角柱面の一部などで構成しても良い。
【００３７】
漏斗保持台に設けられる、漏斗８を保持するための貫通穴２０の数は、上記の実施形態で示された４つである必要はなく、４つより少なくても（例えば１つ）多くてもよい。
【００３８】
本発明の漏斗保持台は、上述した内周面を備える貫通穴が形成されていれば良い。貫通穴の内周面以外の漏斗保持台の全体形状は、特に制限はなく、上記の実施形態で示された板状である必要はない。例えば、漏斗保持台が虫眼鏡のフレームのようなステー付きの環状体からなり、環状体の内周面に上述した複数の凸部及び複数の凹部が形成されていても良い。
【００３９】
本発明の漏斗保持台は、図１に示された医療用バッグ架台以外に適用することはもちろん可能である。例えば、医療用バッグ懸吊台を備えていない、単に１又は複数の漏斗を保持するだけの公知の漏斗保持台に本発明を適用することができる。医療用バッグ以外の容器に液状物を注入するために使用される漏斗を保持する漏斗保持台であっても良い。この場合、漏斗保持台が、この容器を保持する治具を備えていても良い。
【００４０】
上記の実施形態では、漏斗の足部の外周面にはリブが形成されていたが、本発明の漏斗保持台は、リブが形成されていない漏斗を保持することも可能である。
【００４１】
漏斗を使用して注入する液状物は、経腸栄養療法や静脈栄養療法以外の医療用途で使用される液状物であっても良く、更に、医療用途以外の例えば化学、食品などの分野で使用される液状物であってもよい。
【００４２】
本発明の医療用バッグ架台は、図１に示した構成に限定されない。本発明の漏斗保持台と、医療用バッグを懸吊することができる医療用バッグ懸吊台とを備えていれば良く、公知の如何なる医療用バッグ架台であっても良く、また、図１の医療用バッグ架台１に適宜変更を加えたものであっても良い。
【産業上の利用可能性】
【００４３】
本発明の利用分野は特に制限はなく、漏斗を使って液状物を注入する作業を効率化させることが要望される各種分野に広範囲に利用することができる。本発明の漏斗保持台は、漏斗の足部を支持して漏斗を保持することができる従来から公知の漏斗保持台に適用して利用することができる。
【図面の簡単な説明】
【００４４】
【図１】図１は、本発明の一実施形態に係る医療用バッグ架台を示した斜視図である。
【図２】図２は、本発明の一実施形態に係る医療用バッグ架台の漏斗保持台に形成された貫通穴の拡大斜視図である。
【図３】図３は、本発明の一実施形態に係る医療用バッグ架台の漏斗保持台に形成された貫通穴の拡大平面図である。
【図４】図４は、本発明の一実施形態に係る医療用バッグ架台の漏斗保持台に形成された貫通穴に漏斗の足部が挿入された状態を示した断面図である。
【図５】図５は、図３の部分５の拡大平面図である。
【図６】図６Ａは一般的な漏斗を示した斜視図、図６Ｂは図６Ａの６Ｂ−６Ｂ線での矢視断面図である。
【図７】図７は、従来の漏斗保持台が漏斗を保持している状態を示した断面図である。
【符号の説明】
【００４５】
１  医療用バッグ架台
２  漏斗保持台
２０  貫通穴
２１  貫通穴の中心軸
２２  凸部
２３  凹曲面
２４  凸曲面
２６  凹部
２８  頂部
３  医療用バッグ懸吊台
３１  切り欠き
４  リンク機構
８  漏斗
８１  漏斗の本体部
８２  漏斗の足部
８３  リブ
９  医療用バッグ
９１  ポート
９２  鍔
【図１】
2010136754.tif 000003
【図２】
2010136754.tif 000004
【図３】
2010136754.tif 000005
【図４】
2010136754.tif 000006
【図５】
2010136754.tif 000007
【図６】
2010136754.tif 000008
【図７】
2010136754.tif 000009